【手続補正書】
【提出日】平成18年11月15日(2006.11.15)
【手続補正１】
【補正対象書類名】明細書
【補正対象項目名】発明の名称
【補正方法】変更
【補正の内容】
【発明の名称】印刷制御装置、印刷システム、印刷制御方法、記憶媒体
【手続補正２】
【補正対象書類名】明細書
【補正対象項目名】特許請求の範囲
【補正方法】変更
【補正の内容】
【特許請求の範囲】
【請求項１】
印刷ジョブを発行する情報処理装置と通信可能であり、印刷部に出力画像を出力して印刷を行わせる印刷制御装置であって、
前記情報処理装置から入力される印刷ジョブから、前記印刷部で印刷を行うための出力画像を生成する第１の画像生成手段と、
前記第１の画像生成手段によって生成された出力画像に対する、前記情報処理装置の表示部で表示可能な前記印刷ジョブに基づく表示画像を生成する第２の画像生成手段と、
前記第１の画像生成手段によって生成された出力画像の前記印刷部による印刷が終了したことを検知する印刷ジョブ終了検知手段と、
前記印刷ジョブ終了検知手段によって前記出力画像の印刷が終了したことを検知した場合、前記第２の画像生成手段によって生成された表示画像と共に、前記印刷ジョブの終了情報を前記情報処理装置に出力する印刷ジョブ終了出力手段と
を備えることを特徴とする印刷制御装置。
【請求項２】
前記第１の画像生成手段は前記出力画像を所定のサイズのブロック単位でパケット化するパケット化手段を有することを特徴とする請求項１に記載の印刷制御装置。
【請求項３】
更に、
前記パケット化手段による各パケット内の画像データは、所定のサイズごとに圧縮化され、前記印刷制御装置内のメモリ内に格納されることを特徴とする請求項２に記載の印刷制御装置。
【請求項４】
前記第２の画像生成手段は各パケットから出力画像を復元化する復元化手段を有し、
前記表示画像として、前記復元化された出力画像に基づいた低解像度ビットマップ画像を生成することを特徴とする請求項２に記載の印刷制御装置。
【請求項５】
前記印刷ジョブ終了出力手段は印刷ジョブの前記終了情報として、印刷ジョブ名、印刷されたページ番号を前記情報処理装置に出力することを特徴とする請求項１乃至４の何れか１項に記載の印刷制御装置。
【請求項６】
印刷ジョブを発行する情報処理装置と、印刷部に出力画像を出力して印刷を行わせる印刷制御装置とで構成される印刷システムであって、
情報処理装置は、
印刷ジョブを生成する印刷ジョブ生成手段と、
前記印刷ジョブを前記印刷制御装置に出力する印刷ジョブ出力手段と、
前記印刷制御装置から所定の処理の終了イベントを受信した場合、前記印刷制御装置からの印刷ジョブに関する情報を表示する表示手段とを備え、
前記印刷制御装置は、
前記情報処理装置から入力される印刷ジョブから、前記印刷部で印刷を行うための出力画像を生成する第１の画像生成手段と、
前記第１の画像生成手段によって生成された出力画像に対する、前記情報処理装置の表示部で表示可能な前記印刷ジョブに基づく表示画像を生成する第２の画像生成手段と、
前記第１の画像生成手段によって生成された出力画像の前記印刷部による印刷が終了したことを検知する印刷ジョブ終了検知手段と、
前記印刷ジョブ終了検知手段によって前記出力画像の印刷が終了したことを検知した場合、前記第２の画像生成手段によって生成された表示画像と共に、前記印刷ジョブの終了情報を前記情報処理装置に出力する印刷ジョブ終了出力手段と
を備えることを特徴とする印刷システム。
【請求項７】
印刷ジョブを発行する情報処理装置と通信可能であり、印刷部に出力画像を出力して印刷を行わせる印刷制御装置が行う印刷制御方法であって、
前記情報処理装置から入力される印刷ジョブから、前記印刷部で印刷を行うための出力画像を生成する第１の画像生成工程と、
前記第１の画像生成工程で生成された出力画像に対する、前記情報処理装置の表示部で表示可能な前記印刷ジョブに基づく表示画像を生成する第２の画像生成工程と、
前記第１の画像生成工程で生成された出力画像の前記印刷部による印刷終了したことを検知する印刷ジョブ終了検知工程と、
前記印刷ジョブ終了検知工程で前記出力画像の印刷が終了したことを検知した場合、前記第２の画像生成工程で生成された表示画像と共に、前記印刷ジョブの終了情報を前記情報処理装置に出力する処理を、前記印刷制御装置が有する印刷ジョブ終了出力手段が行う印刷ジョブ終了出力工程と
を備えることを特徴とする印刷制御方法。
【請求項８】
前記第１の画像生成工程は前記出力画像を所定のサイズのブロック単位でパケット化するパケット化手段を有することを特徴とする請求項７に記載の印刷制御方法。
【請求項９】
更に、
前記パケット化工程での各パケット内の画像データは、所定のサイズごとに圧縮化され、前記印刷制御装置内のメモリ内に格納されることを特徴とする請求項８に記載の印刷制御方法。
【請求項１０】
前記第２の画像生成工程は各パケットから出力画像を復元化する復元化工程を有し、
前記表示画像として、前記復元化された出力画像に基づいた低解像度ビットマップ画像を生成することを特徴とする請求項８に記載の印刷制御方法。
【請求項１１】
前記印刷ジョブ終了出力工程では印刷ジョブの前記終了情報として、印刷ジョブ名、印刷されたページ番号を前記情報処理装置に出力することを特徴とする請求項７乃至１０の何れか１項に記載の印刷制御方法。
【請求項１２】
印刷ジョブを発行する情報処理装置と、印刷部に出力画像を出力して印刷を行わせる印刷制御装置とで構成される印刷システムにおける印刷制御方法であって、
情報処理装置の制御方法は、
印刷ジョブを生成する印刷ジョブ生成工程と、
前記印刷ジョブを前記印刷制御装置に出力する印刷ジョブ出力工程と、
前記印刷制御装置から所定の処理の終了イベントを受信した場合、前記印刷制御装置からの印刷ジョブに関する情報を表示する表示工程とを備え、
前記印刷制御装置の制御方法は、
前記情報処理装置から入力される印刷ジョブから、前記印刷部で印刷を行うための出力画像を生成する第１の画像生成工程と、
前記第１の画像生成工程で生成された出力画像に対する、前記情報処理装置の表示部で表示可能な前記印刷ジョブに基づく表示画像を生成する第２の画像生成工程と、
前記第１の画像生成工程で生成された出力画像の前記印刷部による印刷終了したことを検知する印刷ジョブ終了検知工程と、
前記印刷ジョブ終了検知工程で前記出力画像の印刷が終了したことを検知した場合、前記第２の画像生成工程で生成された表示画像と共に、前記印刷ジョブの終了情報を前記情報処理装置に出力する印刷ジョブ終了出力工程と
を備えることを特徴とする印刷システムの制御方法。
【請求項１３】
コンピュータに請求項７乃至１１の何れか１項に記載の印刷制御方法を実行させるためのプログラムを格納したことを特徴とする、コンピュータ読み取り可能な記憶媒体。
【手続補正３】
【補正対象書類名】明細書
【補正対象項目名】００１６
【補正方法】変更
【補正の内容】
【００１６】
【課題を解決するための手段】
本発明の目的を達成するために、例えば本発明の印刷制御装置は以下の構成を備える。すなわち、印刷ジョブを発行する情報処理装置と通信可能であり、印刷部に出力画像を出力して印刷を行わせる印刷制御装置であって、
前記情報処理装置から入力される印刷ジョブから、前記印刷部で印刷を行うための出力画像を生成する第１の画像生成手段と、
前記第１の画像生成手段によって生成された出力画像に対する、前記情報処理装置の表示部で表示可能な前記印刷ジョブに基づく表示画像を生成する第２の画像生成手段と、
前記第１の画像生成手段によって生成された出力画像の前記印刷部による印刷が終了したことを検知する印刷ジョブ終了検知手段と、
前記印刷ジョブ終了検知手段によって前記出力画像の印刷が終了したことを検知した場合、前記第２の画像生成手段によって生成された表示画像と共に、前記印刷ジョブの終了情報を前記情報処理装置に出力する印刷ジョブ終了出力手段と
を備えることを特徴とする。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】変更
【補正の内容】
【００１８】
本発明の目的を達成するために、例えば本発明の印刷システムは以下の構成を備える。すなわち、印刷ジョブを発行する情報処理装置と、印刷部に出力画像を出力して印刷を行わせる印刷制御装置とで構成される印刷システムであって、
情報処理装置は、
印刷ジョブを生成する印刷ジョブ生成手段と、
前記印刷ジョブを前記印刷制御装置に出力する印刷ジョブ出力手段と、
前記印刷制御装置から所定の処理の終了イベントを受信した場合、前記印刷制御装置からの印刷ジョブに関する情報を表示する表示手段とを備え、
前記印刷制御装置は、
前記情報処理装置から入力される印刷ジョブから、前記印刷部で印刷を行うための出力画像を生成する第１の画像生成手段と、
前記第１の画像生成手段によって生成された出力画像に対する、前記情報処理装置の表示部で表示可能な前記印刷ジョブに基づく表示画像を生成する第２の画像生成手段と、
前記第１の画像生成手段によって生成された出力画像の前記印刷部による印刷が終了したことを検知する印刷ジョブ終了検知手段と、
前記印刷ジョブ終了検知手段によって前記出力画像の印刷が終了したことを検知した場合、前記第２の画像生成手段によって生成された表示画像と共に、前記印刷ジョブの終了情報を前記情報処理装置に出力する印刷ジョブ終了出力手段と
を備えることを特徴とする。